(57)【特許請求の範囲】
【請求項１】
測定に用いる流量センサを切り替えるガス流量にかかるセンサ切り替え流量ポイントの情報を複数種類だけ予め登録しておくセンサ切り替え流量ポイント登録工程と、装置の稼働に先立つ一定期間、ガスの使用流量を計測するガス使用流量予備計測工程と、当該計測したガスの使用流量に基づいてガスの使用流量のパターンを学習するガス使用流量パターン学習工程と、当該学習したガス使用流量パターンに基づいて、最も使用頻度の高いガス流量域を求める最使用頻度ガス流量域演算工程と、当該登録されている複数種類のセンサ切り替え流量ポイントの中から、当該求めた最使用頻度ガス流量域に基づいて、一のセンサ切り替え流量ポイントを選択するセンサ切り替え流量ポイント選択工程と、当該選択したセンサ切り替え流量ポイントに基づいた流量センサを選択する流量センサ選択工程と、当該選択した流量センサを用いて当該ガス流量を測定するガス流量測定工程とを有することを特徴とするガスセンサ切り替え方法。
【請求項２】
前記センサ切り替え流量ポイント登録工程は、前記センサ切り替え流量ポイント情報をテーブルで登録しておく工程を含むことを特徴とする請求項１に記載のガスセンサ切り替え方法。
【請求項３】
前記センサ切り替え流量ポイント選択工程は、前記テーブルに登録されている複数種類のセンサ切り替え流量ポイントの中から、当該求めた最使用頻度ガス流量域以外のガス流量域における一のセンサ切り替え流量ポイントを選択する工程を含むことを特徴とする請求項２に記載のガスセンサ切り替え方法。
【請求項４】
前記センサ切り替え流量ポイント選択工程は、前記テーブルに登録されている複数種類のセンサ切り替え流量ポイントの中から、当該求めた最使用頻度ガス流量域よりも低いガス流量域における一のセンサ切り替え流量ポイントを選択する工程を含むことを特徴とする請求項２に記載のガスセンサ切り替え方法。
【請求項５】
所定の検出可能なガス流量域を有する流量センサを複数備え、ガス流量域に応じてこれらの流量センサを切り替えて検出可能なガス流量域におけるガス流量を測定し、測定したガス流量に基づいてガスの使用量を積算する電子ガスメータであって、複数設けられると共に、活性時にその各々が、各所定の検出可能なガス流量域においてガス流量を測定してガス流量信号を生成する流量センサと、測定に用いる流量センサを切り替えるガス流量にかかるセンサ切り替え流量ポイントの情報を複数種類だけ予め登録しておく記録手段と、装置の稼働に先立つ一定期間、ガスの使用流量を計測して予備計測流量情報を生成するガス使用流量予備計測手段と、当該予備計測流量情報に基づいてガスの使用流量のパターンを学習して学習ガス使用流量パターン情報を生成するガス使用流量パターン学習手段と、当該学習ガス使用流量パターン情報に基づいて、最も使用頻度の高いガス流量域を求めて最使用頻度ガス流量域情報を生成する最使用頻度ガス流量域演算手段と、当該登録されている複数種類のセンサ切り替え流量ポイント情報の中から、当該最使用頻度ガス流量域情報に基づいて、一のセンサ切り替え流量ポイントを選択してセンサ切り替え流量ポイント選択情報を生成するセンサ切り替え流量ポイント選択手段と、当該センサ切り替え流量ポイント選択情報に基づいた流量センサを選択して流量センサ選択情報する流量センサ選択手段と、当該流量センサ選択情報に基づいて選択した流量センサを用いて当該ガス流量信号を収集してガスの使用量を積算するガス使用量算定手段とを有することを特徴とする電子ガスメータ。
【請求項６】
前記記録手段は、前記センサ切り替え流量ポイント情報を登録しておくテーブル記憶部を有することを特徴とする請求項５に記載の電子ガスメータ。
【請求項７】
前記センサ切り替え流量ポイント選択手段は、前記テーブル記憶部に登録されている複数種類のセンサ切り替え流量ポイントの中から、当該求めた最使用頻度ガス流量域以外のガス流量域における一のセンサ切り替え流量ポイントを選択して前記センサ切り替え流量ポイント選択情報を生成することを特徴とする請求項６に記載の電子ガスメータ。
【請求項８】
前記センサ切り替え流量ポイント選択手段は、前記テーブル記憶部に登録されている複数種類のセンサ切り替え流量ポイントの中から、当該求めた最使用頻度ガス流量域よりも低いガス流量域における一のセンサ切り替え流量ポイントを選択して前記センサ切り替え流量ポイント選択情報を生成することを特徴とする請求項６に記載の電子ガスメータ。
【請求項９】
前記流量センサとして、高流量センサと低流量センサを用いることを特徴とする請求項５乃至８のいずれか一項に記載の電子ガスメータ。
【発明の詳細な説明】
【０００１】
【発明の属する技術分野】
本発明は、ガス流量の検出方法に関し、特に、所定の検出可能なガス流量域を有する流量センサを複数備え、測定するガス流量域に応じてこれらの流量センサを切り替えて検出可能なガス流量域におけるガス流量を測定し、測定したガス流量に基づいてガスの使用量を積算するガスメータに用いられるガスセンサ切り替え方法に関する。
【０００２】
また本発明は、ガスメータに関し、特に、所定の検出可能なガス流量域を有する流量センサを複数備え、ガス流量域に応じてこれらの流量センサを切り替えて検出可能なガス流量域におけるガス流量を測定し、測定したガス流量に基づいてガスの使用量を積算する電子ガスメータに関する。
【０００３】
【従来の技術】
図６は、従来のガスセンサ切り替え方法の実行時のセンサ切り替え流量ポイントの変更動作を説明するための図である。
【０００４】
従来この種のガスセンサ切り替え方法では、所定の検出可能なガス流量域１０Ａを有する流量センサを複数備え、測定するガス流量域１０Ａに応じてこれらの流量センサを切り替えて検出可能なガス流量域におけるガス流量を測定し、測定したガス流量に基づいてガスの使用量を積算するガスメータに用いられるものであって、測定に用いる流量センサを切り替えるガス流量を指定するセンサ切り替え流量ポイントの情報を予め登録しておくセンサ切り替え流量ポイント登録工程と、センサ切り替え流量ポイント登録工程に続いて、測定するガス流量と既に登録されているセンサ切り替え流量ポイント情報と比較し、このときの比較結果に基づいた流量センサを選択的に活性化する流量センサ選択工程と、流量センサ選択工程に続いて、このときに選択した流量センサを用いてガス流量を測定するガス流量測定工程とを実行していた。
【０００５】
ここで、流量センサとして、高流量センサと低流量センサとが通常用いられていた。高流量センサとしては、振動検出型の流量センサが用いられていた。また低流量センサとしては熱伝導型の流量センサが用いられていた。具体的には、振動検出型の流量センサとしては、検出可能なガス流量域が１００〜６０００［ｌ／ｈ（リットル／時間の意）］のフルイディック発振型の流量センサが用いられ、熱伝導型の流量センサとしては、検出可能なガス流量域が０〜１００［ｌ／ｈ］のフローセンサが用いられていた。
【０００６】
フルイディック発振型の流量センサは、フルイディック素子を有し、このフルイディック素子にガスが流入したときに生じるフルイディック発振周波数ｆを検出し、流量Ｑ＝ａ・ｆの関係式に従って流入ガスの流量Ｑを算出するものであって、この意味では、時系列的な流量検出素子といえる。
【０００７】
一方、フローセンサは、発熱素子と検温素子とを有し、一定サンプリング期間（たとえば、６秒間）毎に発熱素子から伝熱される熱量を検温素子で検出して瞬間流量を検出し、直前のサンプリング期間にこの検出した瞬時流量が継続してあったとしてこのサンプリング期間の瞬間流量の積算を行ってガス流量を算出するものであって、この意味では、ディジタル的な流量検出素子といえる。
【０００８】
このようなフルイディック発振型の流量センサとフローセンサとを用いた従来のガスセンサ切り替え方法では、１００［ｌ／ｈ］を単一のセンサ切り替え流量ポイントとし、０〜１００［ｌ／ｈ］のガス流量域のガス流量に対してはフローセンサを選択してガス流量の測定を実行し、また、１００〜６０００［ｌ／ｈ］のガス流量域のガス流量に対してはフルイディック発振型の流量センサを選択してガス流量の測定を実行していた。
【０００９】
【発明が解決しようとする課題】
しかしながら、このような従来のガスセンサ切り替え方法では、センサ切り替え流量ポイントが外部から更新できないようにファームウェア的に固定されていたため、フルイディック発振型の流量センサの性能が改善され、より低いガス流量域までガス流量の測定が可能となった場合にセンサ切り替え流量ポイントを変更するにはファームウェア的な書き換え作業を伴ってしまうという問題点があった。
【００１０】
また、従来のガスセンサ切り替え方法では、センサ切り替え流量ポイントを一点としていたため、センサ切り替え流量ポイント付近でガス流量が振動的に変動したような場合、フルイディック発振型の流量センサとフローセンサとが頻繁に切り替わるため、ガス流量の測定誤差が大きくなってしまう可能性があるという問題点があった。特に、時系列的な流量検出を行うフルイディック発振型の流量センサにおいて、ガス流量の測定誤差が大きくなってしまう可能性があるという問題点があった。例えば、市場で、センサ切り替え流量ポイント付近のガス流量域で使用される燃焼器があった場合、ガス流量の測定誤差が大きくなってしまう可能性があるという問題点もあった。
【００１１】
本発明は、このような従来の問題点を解決することを課題としており、第１に、センサ切り替え流量ポイントが外部からソフトウェア的に更新できるようにし、フルイディック発振型の流量センサの性能が改善されてより低いガス流量域までガス流量の測定が可能となった場合であっても、ファームウェア的な書き換え作業を伴うことを回避し、センサ切り替え流量ポイントを外部からソフトウェア的に任意に更新することができるガスセンサ切り替え方法をを提供することを課題としている。
【００１２】
また、テーブルに登録されている複数種類のセンサ切り替え流量ポイントの中から、最使用頻度ガス流量域よりも低いガス流量域における一のセンサ切り替え流量ポイントを選択できるようにするため、センサ切り替え流量ポイント付近でガス流量が振動的に変動したような場合であっても、フルイディック発振型の流量センサとフローセンサとが頻繁に切り替わるような現象の発生を回避してガス流量の測定精度の向上を図ることができるガスセンサ切り替え方法を提供することを課題としている。特に、時系列的な流量検出を行うフルイディック発振型の流量センサにおいてガス流量の測定精度の向上を図ることができるガスセンサ切り替え方法を提供することを課題としている。具体的には、市場で、センサ切り替え流量ポイント付近のガス流量域で使用される燃焼器があった場合であっても、ガス流量の測定精度の向上を図ることができるガスセンサ切り替え方法を提供することを課題としている。
【００１３】
第２に、センサ切り替え流量ポイントが外部からソフトウェア的に更新できるようにし、フルイディック発振型の流量センサの性能が改善されてより低いガス流量域までガス流量の測定が可能となった場合であっても、ファームウェア的な書き換え作業を伴うことを回避し、センサ切り替え流量ポイントを外部からソフトウェア的に任意に更新することができる電子ガスメータをを提供することを課題としている。
【００１４】
また、テーブルに登録されている複数種類のセンサ切り替え流量ポイントの中から、最使用頻度ガス流量域よりも低いガス流量域における一のセンサ切り替え流量ポイントを選択できるようにするため、センサ切り替え流量ポイント付近でガス流量が振動的に変動したような場合であっても、フルイディック発振型の流量センサとフローセンサとが頻繁に切り替わるような現象の発生を回避してガス流量の測定精度の向上を図ることができる電子ガスメータを提供することを課題としている。特に、時系列的な流量検出を行うフルイディック発振型の流量センサにおいてガス流量の測定精度の向上を図ることができる電子ガスメータを提供することを課題としている。具体的には、市場で、センサ切り替え流量ポイント付近のガス流量域で使用される燃焼器があった場合であっても、ガス流量の測定精度の向上を図ることができる電子ガスメータを提供することを課題としている。
【００１５】
【課題を解決するための手段】
上記課題を解決するため本発明により成された請求項１に記載の発明は、測定に用いる流量センサ１１を切り替えるガス流量にかかるセンサ切り替え流量ポイントの情報を複数種類だけ予め登録しておくセンサ切り替え流量ポイント登録工程と、装置の稼働に先立つ一定期間、ガスの使用流量を計測するガス使用流量予備計測工程と、当該計測したガスの使用流量に基づいてガスの使用流量のパターンを学習するガス使用流量パターン学習工程と、当該学習したガス使用流量パターンに基づいて、最も使用頻度の高いガス流量域１０Ａを求める最使用頻度ガス流量域演算工程と、当該登録されている複数種類のセンサ切り替え流量ポイントの中から、当該求めた最使用頻度ガス流量域に基づいて、一のセンサ切り替え流量ポイントを選択するセンサ切り替え流量ポイント選択工程と、当該選択したセンサ切り替え流量ポイントに基づいた流量センサ１１を選択する流量センサ選択工程と、当該選択した流量センサ１１を用いて当該ガス流量を測定するガス流量測定工程とを論理構成としたガスセンサ切り替え方法である。
【００１８】
請求項１に記載の発明によれば、ガス使用流量予備計測工程が、装置の稼働に先立つ一定期間、ガスの使用流量を計測する処理を実行し、これに応じて、ガス使用流量パターン学習工程が、計測したガスの使用流量に基づいてガスの使用流量のパターンを学習する処理を実行し、これに応じて、最使用頻度ガス流量域演算工程が、学習したガス使用流量パターンに基づいて、最も使用頻度の高いガス流量域１０Ａを求める処理を実行し、これに応じて、センサ切り替え流量ポイント選択工程が、登録されている複数種類のセンサ切り替え流量ポイントの中から、求めた最使用頻度ガス流量域に基づいて、一のセンサ切り替え流量ポイントを選択する処理を実行するので、テーブルに登録されている複数種類のセンサ切り替え流量ポイントの中から、最使用頻度ガス流量域よりも低いガス流量域１０Ａにおける一のセンサ切り替え流量ポイントを選択できるようになる。その結果、ガス流量測定工程が、選択した流量センサ１１（高流量センサ２１または低流量センサ２２）を用いてガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習工程を中心とするソフトウェア処理によってガス流量の測定精度の向上を図ることができるようになる。
【００１９】
上記課題を解決するため本発明により成された請求項２に記載の発明は、請求項１に記載のガスセンサ切り替え方法において、前記センサ切り替え流量ポイント登録工程は、前記センサ切り替え流量ポイント情報２０ａをテーブルで登録しておく工程を含む論理構成とした。
【００２０】
請求項２に記載の発明によれば、請求項１に記載の効果に加えて、ガス使用流量予備計測工程が、装置の稼働に先立つ一定期間、ガスの使用流量を計測する処理を実行し、これに応じて、ガス使用流量パターン学習工程が、計測したガスの使用流量に基づいてガスの使用流量のパターンを学習する処理を実行し、これに応じて、最使用頻度ガス流量域演算工程が、学習したガス使用流量パターンに基づいて、最も使用頻度の高いガス流量域１０Ａを求める処理を実行し、これに応じて、センサ切り替え流量ポイント選択工程が、センサ切り替え流量ポイント登録工程の実行により予めテーブルの中に登録されている複数種類のセンサ切り替え流量ポイントの中から、求めた最使用頻度ガス流量域に基づいて、一のセンサ切り替え流量ポイントをテーブルの中から選択する処理を実行するので、ソフトウェア的に任意に更新可能なテーブルに登録されている複数種類のセンサ切り替え流量ポイントの中から、最使用頻度ガス流量域よりも低いガス流量域１０Ａにおける一のセンサ切り替え流量ポイントを選択できるようになる。その結果、ガス流量測定工程が、選択した流量センサ１１（高流量センサ２１または低流量センサ２２）を用いてガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習工程を中心とするソフトウェア処理によってガス流量の測定精度の向上を図ることができるようになる。
【００２１】
上記課題を解決するため本発明により成された請求項３に記載の発明は、請求項２に記載のガスセンサ切り替え方法において、前記センサ切り替え流量ポイント選択工程は、前記テーブルに登録されている複数種類のセンサ切り替え流量ポイントの中から、当該求めた最使用頻度ガス流量域以外のガス流量域１０Ａにおける一のセンサ切り替え流量ポイントを選択する工程を含む論理構成とした。
【００２２】
請求項３に記載の発明によれば、請求項２に記載の効果に加えて、ガス使用流量予備計測工程が、装置の稼働に先立つ一定期間、ガスの使用流量を計測する処理を実行し、これに応じて、ガス使用流量パターン学習工程が、計測したガスの使用流量に基づいてガスの使用流量のパターンを学習する処理を実行し、これに応じて、最使用頻度ガス流量域演算工程が、学習したガス使用流量パターンに基づいて、最も使用頻度の高いガス流量域１０Ａを求める処理を実行し、これに応じて、センサ切り替え流量ポイント選択工程が、センサ切り替え流量ポイント登録工程の実行により予めテーブルの中に登録されている複数種類のセンサ切り替え流量ポイントの中から、求めた最使用頻度ガス流量域以外のガス流量域１０Ａにおける一のセンサ切り替え流量ポイントをテーブルの中から選択する処理を実行するので、ソフトウェア的に任意に更新可能なテーブルに登録されている複数種類のセンサ切り替え流量ポイントの中から、求めた最使用頻度ガス流量域以外のガス流量域１０Ａにおける一のセンサ切り替え流量ポイントを選択できるようになる。その結果、ガス流量測定工程が、選択した流量センサ１１（高流量センサ２１または低流量センサ２２）を用いてガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習工程を中心とするソフトウェア処理によって最使用頻度ガス流量域以外のガス流量域１０Ａにおける一のセンサ切り替え流量ポイントをテーブルの中から選択することにより、ガス流量の測定精度の向上を図ることができるようになる。
【００２３】
上記課題を解決するため本発明により成された請求項４に記載の発明は、請求項２に記載のガスセンサ切り替え方法において、前記センサ切り替え流量ポイント選択工程は、前記テーブルに登録されている複数種類のセンサ切り替え流量ポイントの中から、当該求めた最使用頻度ガス流量域よりも低いガス流量域１０Ａにおける一のセンサ切り替え流量ポイントを選択する工程を含む論理構成とした。
【００２４】
請求項４に記載の発明によれば、請求項２に記載の効果に加えて、ガス使用流量予備計測工程が、装置の稼働に先立つ一定期間、ガスの使用流量を計測する処理を実行し、これに応じて、ガス使用流量パターン学習工程が、計測したガスの使用流量に基づいてガスの使用流量のパターンを学習する処理を実行し、これに応じて、最使用頻度ガス流量域演算工程が、学習したガス使用流量パターンに基づいて、最も使用頻度の高いガス流量域１０Ａを求める処理を実行し、これに応じて、センサ切り替え流量ポイント選択工程が、センサ切り替え流量ポイント登録工程の実行により予めテーブルの中に登録されている複数種類のセンサ切り替え流量ポイントの中から、求めた最使用頻度ガス流量域よりも低いガス流量域１０Ａにおける一のセンサ切り替え流量ポイントをテーブルの中から選択する処理を実行するので、ソフトウェア的に任意に更新可能なテーブルに登録されている複数種類のセンサ切り替え流量ポイントの中から、求めた最使用頻度ガス流量域よりも低いガス流量域１０Ａにおける一のセンサ切り替え流量ポイントを選択できるようになる。その結果、ガス流量測定工程が、選択した流量センサ１１（高流量センサ２１または低流量センサ２２）を用いてガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習工程を中心とするソフトウェア処理によって最使用頻度ガス流量域よりも低いガス流量域１０Ａにおける一のセンサ切り替え流量ポイントを選択することにより、ガス流量の測定精度の向上を図ることができるようになる。
【００２９】
上記課題を解決するため本発明により成された請求項５に記載の発明は、所定の検出可能なガス流量域１０Ａを有する流量センサ１１を複数備え、ガス流量域１０Ａに応じてこれらの流量センサ１１を切り替えて検出可能なガス流量域１０Ａにおけるガス流量を測定し、測定したガス流量に基づいてガスの使用量を積算する電子ガスメータ１０であって、複数設けられると共に、活性時にその各々が、各所定の検出可能なガス流量域１０Ａにおいてガス流量を測定してガス流量信号１１ａを生成する流量センサ１１と、測定に用いる流量センサ１１を切り替えるガス流量にかかるセンサ切り替え流量ポイントの情報を複数種類だけ予め登録しておく記録手段１３と、装置の稼働に先立つ一定期間、ガスの使用流量を計測して予備計測流量情報１７ａを生成するガス使用流量予備計測手段１７と、当該予備計測流量情報１７ａに基づいてガスの使用流量のパターンを学習して学習ガス使用流量パターン情報１８ａを生成するガス使用流量パターン学習手段１８と、当該学習ガス使用流量パターン情報１８ａに基づいて、最も使用頻度の高いガス流量域１０Ａを求めて最使用頻度ガス流量域情報１９ａを生成する最使用頻度ガス流量域演算手段１９と、当該登録されている複数種類のセンサ切り替え流量ポイント情報２０ａの中から、当該最使用頻度ガス流量域情報１９ａに基づいて、一のセンサ切り替え流量ポイントを選択してセンサ切り替え流量ポイント選択情報２０ａを生成するセンサ切り替え流量ポイント選択手段２０と、当該センサ切り替え流量ポイント選択情報２０ａに基づいた流量センサ１１を選択して流量センサ選択情報１４ａする流量センサ選択手段１４と、当該流量センサ選択情報１４ａに基づいて選択した流量センサ１１（高流量センサ２１または低流量センサ２２）を用いて当該ガス流量信号１１ａを収集してガスの使用量を積算するガス使用量算定手段１５とを有するハードウェア構成とした。
【００３０】
請求項５に記載の発明によれば、ガス使用流量予備計測手段１７が、装置の稼働に先立つ一定期間、ガスの使用流量を計測する処理を実行し、これに応じて、ガス使用流量パターン学習手段１８が、計測したガスの使用流量に基づいてガスの使用流量のパターンを学習する処理を実行し、これに応じて、最使用頻度ガス流量域演算手段１９が、学習したガス使用流量パターンに基づいて、最も使用頻度の高いガス流量域１０Ａを求める処理を実行し、これに応じて、センサ切り替え流量ポイント選択手段２０が、登録されている複数種類のセンサ切り替え流量ポイントの中から、求めた最使用頻度ガス流量域に基づいて、一のセンサ切り替え流量ポイントを選択する処理を実行するので、テーブルに登録されている複数種類のセンサ切り替え流量ポイントの中から、最使用頻度ガス流量域よりも低いガス流量域１０Ａにおける一のセンサ切り替え流量ポイントを選択できるようになる。その結果、ガス使用量算定手段１５が、選択した流量センサ１１（高流量センサ２１または低流量センサ２２）を用いてガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習手段１８を中心として実行されるソフトウェア処理によってガス流量の測定精度の向上を図ることができるようになる。
【００３１】
上記課題を解決するため本発明により成された請求項６に記載の発明は、請求項５に記載の電子ガスメータ１０において、前記記録手段１３は、前記センサ切り替え流量ポイント情報２０ａを登録しておくテーブル記憶部１３２を有するハードウェア構成とした。
【００３２】
請求項６に記載の発明によれば、請求項５に記載の効果に加えて、ガス使用流量予備計測手段１７が、装置の稼働に先立つ一定期間、ガスの使用流量を計測する処理を実行し、これに応じて、ガス使用流量パターン学習手段１８が、計測したガスの使用流量に基づいてガスの使用流量のパターンを学習する処理を実行し、これに応じて、最使用頻度ガス流量域演算手段１９が、学習したガス使用流量パターンに基づいて、最も使用頻度の高いガス流量域１０Ａを求める処理を実行し、これに応じて、センサ切り替え流量ポイント選択手段２０が、記録手段１３の実行により予めテーブル記憶部１３２内のテーブルの中に登録されている複数種類のセンサ切り替え流量ポイントの中から、求めた最使用頻度ガス流量域に基づいて、一のセンサ切り替え流量ポイントをテーブル記憶部１３２内のテーブルの中から選択する処理を実行するので、ソフトウェア的に任意に更新可能なテーブル記憶部１３２内のテーブルに登録されている複数種類のセンサ切り替え流量ポイントの中から、最使用頻度ガス流量域よりも低いガス流量域１０Ａにおける一のセンサ切り替え流量ポイントを選択できるようになる。その結果、ガス使用量算定手段１５が、選択した流量センサ１１（高流量センサ２１または低流量センサ２２）を用いてガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習手段１８を中心として実行されるソフトウェア処理によってガス流量の測定精度の向上を図ることができるようになる。
【００３３】
上記課題を解決するため本発明により成された請求項７に記載の発明は、請求項６に記載の電子ガスメータ１０において、前記センサ切り替え流量ポイント選択手段２０は、前記テーブル記憶部１３２に登録されている複数種類のセンサ切り替え流量ポイントの中から、当該求めた最使用頻度ガス流量域以外のガス流量域１０Ａにおける一のセンサ切り替え流量ポイントを選択して前記センサ切り替え流量ポイント選択情報２０ａを生成するハードウェア構成とした。
【００３４】
請求項７に記載の発明によれば、請求項６に記載の効果に加えて、ガス使用流量予備計測手段１７が、装置の稼働に先立つ一定期間、ガスの使用流量を計測する処理を実行し、これに応じて、ガス使用流量パターン学習手段１８が、計測したガスの使用流量に基づいてガスの使用流量のパターンを学習する処理を実行し、これに応じて、最使用頻度ガス流量域演算手段１９が、学習したガス使用流量パターンに基づいて、最も使用頻度の高いガス流量域１０Ａを求める処理を実行し、これに応じて、センサ切り替え流量ポイント選択手段２０が、記録手段１３の実行により予めテーブル記憶部１３２内のテーブルの中に登録されている複数種類のセンサ切り替え流量ポイントの中から、求めた最使用頻度ガス流量域以外のガス流量域１０Ａにおける一のセンサ切り替え流量ポイントをテーブル記憶部１３２内のテーブルの中から選択する処理を実行するので、ソフトウェア的に任意に更新可能なテーブル記憶部１３２内のテーブルの中に登録されている複数種類のセンサ切り替え流量ポイントの中から、求めた最使用頻度ガス流量域以外のガス流量域１０Ａにおける一のセンサ切り替え流量ポイントを選択できるようになる。その結果、ガス使用量算定手段１５が、選択した流量センサ１１（高流量センサ２１または低流量センサ２２）を用いてガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習手段１８を中心として実行されるソフトウェア処理によって最使用頻度ガス流量域以外のガス流量域１０Ａにおける一のセンサ切り替え流量ポイントをテーブル記憶部１３２内のテーブルの中から選択することにより、ガス流量の測定精度の向上を図ることができるようになる。
【００３５】
上記課題を解決するため本発明により成された請求項８に記載の発明は、請求項６に記載の電子ガスメータ１０において、前記センサ切り替え流量ポイント選択手段２０は、前記テーブル記憶部１３２に登録されている複数種類のセンサ切り替え流量ポイントの中から、当該求めた最使用頻度ガス流量域よりも低いガス流量域１０Ａにおける一のセンサ切り替え流量ポイントを選択して前記センサ切り替え流量ポイント選択情報２０ａを生成するハードウェア構成とした。
【００３６】
請求項８に記載の発明によれば、請求項６に記載の効果に加えて、ガス使用流量予備計測手段１７が、装置の稼働に先立つ一定期間、ガスの使用流量を計測する処理を実行し、これに応じて、ガス使用流量パターン学習手段１８が、計測したガスの使用流量に基づいてガスの使用流量のパターンを学習する処理を実行し、これに応じて、最使用頻度ガス流量域演算手段１９が、学習したガス使用流量パターンに基づいて、最も使用頻度の高いガス流量域１０Ａを求める処理を実行し、これに応じて、センサ切り替え流量ポイント選択手段２０が、記録手段１３の実行により予めテーブル記憶部１３２内のテーブルの中に登録されている複数種類のセンサ切り替え流量ポイントの中から、求めた最使用頻度ガス流量域よりも低いガス流量域１０Ａにおける一のセンサ切り替え流量ポイントをテーブル記憶部１３２内のテーブルの中から選択する処理を実行するので、ソフトウェア的に任意に更新可能なテーブル記憶部１３２内のテーブルに登録されている複数種類のセンサ切り替え流量ポイントの中から、求めた最使用頻度ガス流量域よりも低いガス流量域１０Ａにおける一のセンサ切り替え流量ポイントを選択できるようになる。その結果、ガス使用量算定手段１５が、選択した流量センサ１１（高流量センサ２１または低流量センサ２２）を用いてガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習手段１８を中心として実行されるソフトウェア処理によって最使用頻度ガス流量域よりも低いガス流量域１０Ａにおける一のセンサ切り替え流量ポイントをテーブル記憶部１３２内のテーブルの中から選択することにより、ガス流量の測定精度の向上を図ることができるようになる。
【００３７】
上記課題を解決するため本発明により成された請求項９に記載の発明は、請求項５乃至８のいずれか一項に記載の電子ガスメータ１０において、前記流量センサ１１として、高流量センサ２１と低流量センサ２２を用いるハードウェア構成とした。
【００３８】
請求項９に記載の発明によれば、請求項５乃至８のいずれか一項に記載の効果に加えて、ガス使用流量予備計測手段１７が、装置の稼働に先立つ一定期間、ガスの使用流量を計測する処理を実行し、これに応じて、ガス使用流量パターン学習手段１８が、計測したガスの使用流量に基づいてガスの使用流量のパターンを学習する処理を実行し、これに応じて、最使用頻度ガス流量域演算手段１９が、学習したガス使用流量パターンに基づいて、最も使用頻度の高いガス流量域１０Ａを求める処理を実行し、これに応じて、センサ切り替え流量ポイント選択手段２０が、記録手段１３の実行により予めテーブル記憶部１３２内のテーブルの中に登録されている複数種類のセンサ切り替え流量ポイントの中から、求めた最使用頻度ガス流量域よりも低いガス流量域１０Ａにおける一のセンサ切り替え流量ポイントをテーブル記憶部１３２内のテーブルの中から選択する処理を実行するので、ソフトウェア的に任意に更新可能なテーブル記憶部１３２内のテーブルに登録されている複数種類のセンサ切り替え流量ポイントの中から、求めた最使用頻度ガス流量域よりも低いガス流量域１０Ａにおける一のセンサ切り替え流量ポイントを選択できるようになる。その結果、ガス使用量算定手段１５が、選択した流量センサ１１を用いてガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習手段１８を中心として実行されるソフトウェア処理によって最使用頻度ガス流量域よりも低いガス流量域１０Ａにおける一のセンサ切り替え流量ポイントをテーブル記憶部１３２内のテーブルの中から選択することにより、ガス流量の測定精度の向上を図ることができるようになる。
【００４７】
【発明の実施の形態】
図１は、本発明のガスセンサ切り替え方法を実行する電子ガスメータ１０を説明するための機能ブロック図である。図２は、図１の電子ガスメータ１０の具体的な構成図である。
【００４８】
図１に示す電子ガスメータ１０は、所定の検出可能なガス流量域１０Ａを有する流量センサ１１としての高流量センサ２１と低流量センサ２２を備え、ガス流量域１０Ａに応じてこれらの高流量センサ２１または低流量センサ２２を切り替えて検出可能なガス流量域１０ＡにおけるＬＰガスのガス流量を測定し、測定したＬＰガスのガス流量に基づいてＬＰガスの使用量を積算する機能を有し、高流量センサ２１、低流量センサ２２、外部入力手段１２、記録手段１３、流量センサ選択手段１４、ガス使用量算定手段１５、ガス使用流量予備計測手段１７、ガス使用流量パターン学習手段１８、最使用頻度ガス流量域演算手段１９、センサ切り替え流量ポイント選択手段２０を有するハードウェア構成とした。
【００４９】
図１または図２に示す高流量センサ２１は、活性時に、所定の検出可能なガス流量域１０ＡにおいてＬＰガスのガス流量を測定してガス流量信号１１ａを生成する機能を有している。
【００５０】
高流量センサ２１としては、振動検出型の流量センサ２１１を用いている。具体的には、振動検出型の流量センサ２１１としては、検出可能なガス流量域１０Ａが１００〜６０００［ｌ／ｈ］のフルイディック発振型の流量センサ２１１Ａを用いている。
【００５１】
フルイディック発振型の流量センサ２１１Ａは、フルイディック素子を有し、このフルイディック素子にガスが流入したときに生じるフルイディック発振周波数ｆ［Ｈｚ］を検出し、流量Ｑ＝ａ・ｆの関係式に従って流入ガスの流量Ｑ［ｌ／ｈ］を算出するものであって、この意味では、時系列的な流量検出素子といえる。以下の説明では、高流量センサ２１をフルイディック発振型の流量センサ２１１Ａで代表することにする。
【００５２】
これにより、ガス使用流量予備計測手段１７が、装置の稼働に先立つ一定期間、ガスの使用流量を計測する処理を実行し、これに応じて、ガス使用流量パターン学習手段１８が、計測したガスの使用流量に基づいてガスの使用流量のパターンを学習する処理を実行し、これに応じて、最使用頻度ガス流量域演算手段１９が、学習したガス使用流量パターンに基づいて、最も使用頻度の高いガス流量域１０Ａを求める処理を実行し、これに応じて、センサ切り替え流量ポイント選択手段２０が、記録手段１３の実行により予めテーブル記憶部１３２内のテーブルの中に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域よりも低いガス流量域１０Ａにおける一のセンサ切り替え流量ポイントをテーブル記憶部１３２内のテーブルの中から選択する処理を実行するので、ソフトウェア的に任意に更新可能なテーブル記憶部１３２内のテーブルに登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域よりも低いガス流量域１０Ａにおける一のセンサ切り替え流量ポイントを選択できるようになる。その結果、ガス使用量算定手段１５が、選択したフルイディック発振型の流量センサ２１１Ａまたはフローセンサ２２１Ａのいずれか一方を用いてＬＰガスのガス流量を測定する際に、センサ切り替え流量ポイント付近でガス流量が振動的に変動したような場合であっても、フルイディック発振型の流量センサ２１１Ａと低流量センサ２２とが頻繁に切り替わるような現象の発生を回避してガス流量の測定精度の向上を図ることができるようになる。特に、時系列的な流量検出を行うフルイディック発振型の流量センサ２１１Ａにおいてガス流量の測定精度の向上を図ることができるようになる。具体的には、市場で、センサ切り替え流量ポイント付近のガス流量域１０Ａで使用される燃焼器があった場合であっても、ガス使用流量パターン学習手段１８を中心として実行されるソフトウェア処理によって最使用頻度ガス流量域よりも低いガス流量域１０Ａにおける一のセンサ切り替え流量ポイントをテーブル記憶部１３２内のテーブルの中から選択することにより、ガス流量の測定精度の向上を図ることができるようになる。
【００５３】
図３は、低流量センサ２２の流量特性を説明するためのグラフである。
【００５４】
一方、図１または図２に示す低流量センサ２２は、活性時に、所定の検出可能なガス流量域１０ＡにおいてＬＰガスのガス流量を測定してガス流量信号１１ａを生成する機能を有している。
【００５５】
低流量センサ２２としては、熱伝導型の流量センサ２２１を用いている。熱伝導型の流量センサ２２１としては、検出可能なガス流量域１０Ａが０〜１００［ｌ／ｈ］のフローセンサ２２１Ａを用いている。
【００５６】
フローセンサ２２１Ａは、発熱素子と検温素子とを有し、図３に示すように、一定サンプリング期間（たとえば、６秒）毎に発熱素子から伝熱される熱量を検温素子で検出して瞬間流量を検出し、直前のサンプリング期間にこの検出した瞬時流量が継続してあったとしてこのサンプリング期間の瞬間流量の積算を行ってガス流量を算出するものであって、この意味では、ディジタル的な流量検出素子といえる。以下の説明では、低流量センサ２２をフローセンサ２２１Ａで代表することにする。
【００５７】
例えば、フローセンサ２２１Ａは、発熱素子と検温素子とを有し、図３に示すように、６秒のサンプリング期間に発熱素子から伝熱される熱量を検温素子で検出して瞬間流量Ｑ2を検出し、直前のサンプリング期間（６〜１２秒の間のサンプリング期間）にこの検出した瞬時流量Ｑ2が継続してあったとしてこのサンプリング期間（６〜１２秒の間のサンプリング期間）の瞬間流量Ｑ2の積算を行ってガス流量を算出する。
【００５８】
これにより、ガス使用流量予備計測手段１７が、装置の稼働に先立つ一定期間、ガスの使用流量を計測する処理を実行し、これに応じて、ガス使用流量パターン学習手段１８が、計測したガスの使用流量に基づいてガスの使用流量のパターンを学習する処理を実行し、これに応じて、最使用頻度ガス流量域演算手段１９が、学習したガス使用流量パターンに基づいて、最も使用頻度の高いガス流量域１０Ａを求める処理を実行し、これに応じて、センサ切り替え流量ポイント選択手段２０が、記録手段１３の実行により予めテーブル記憶部１３２内のテーブルの中に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域よりも低いガス流量域１０Ａにおける一のセンサ切り替え流量ポイントをテーブル記憶部１３２内のテーブルの中から選択する処理を実行するので、ソフトウェア的に任意に更新可能なテーブル記憶部１３２内のテーブルに登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域よりも低いガス流量域１０Ａにおける一のセンサ切り替え流量ポイントを選択できるようになる。その結果、ガス使用量算定手段１５が、選択したフルイディック発振型の流量センサ２１１Ａまたはフローセンサ２２１Ａのいずれか一方を用いてＬＰガスのガス流量を測定する際に、センサ切り替え流量ポイント付近でガス流量が振動的に変動したような場合であっても、フルイディック発振型の流量センサ２１１Ａとフローセンサ２２１Ａとが頻繁に切り替わるような現象の発生を回避してガス流量の測定精度の向上を図ることができるようになる。特に、時系列的な流量検出を行うフルイディック発振型の流量センサ２１１Ａにおいてガス流量の測定精度の向上を図ることができるようになる。具体的には、市場で、センサ切り替え流量ポイント付近のガス流量域１０Ａで使用される燃焼器があった場合であっても、ガス使用流量パターン学習手段１８を中心として実行されるソフトウェア処理によって最使用頻度ガス流量域よりも低いガス流量域１０Ａにおける一のセンサ切り替え流量ポイントをテーブル記憶部１３２内のテーブルの中から選択することにより、ガス流量の測定精度の向上を図ることができるようになる。
【００５９】
図１に示す外部入力手段１２は、ガス流量測定に用いるフルイディック発振型の流量センサ２１１Ａまたはフローセンサ２２１Ａのいずれか一方に切り替えるセンサ切り替え流量ポイント情報２０ａを電子ガスメータ１０に外部から接続された携帯端末や設定器から取り込む機能を有し、具体的には、携帯端末や設定器の通信機能として設けられているＲＳ２３２Ｃ等の通信方式に対応した通信ポート１６を制御可能なマイクロプロセッサー（図２に示すマイコン）を用いて実現している。
【００６０】
図１に示す通信ポート１６は、センサ切り替え流量ポイント情報２０ａを電子ガスメータ１０に外部から接続された携帯端末や設定器からＲＳ２３２Ｃ等の通信方式に従って取り込むための通信インタフェース機能を有している。以下の説明では、通信ポート１６をＲＳ２３２Ｃ通信ポート１６で代表することにする。
【００６１】
これにより、外部入力手段１２を用いた外部入力処理により、センサ切り替え流量ポイントの情報をＲＳ２３２Ｃ通信ポート１６を介して電子ガスメータ１０に外部から接続された携帯端末や設定器から取り込むことができるようになり、このようにしてＲＳ２３２Ｃ通信ポート１６を介して電子ガスメータ１０に外部から接続された携帯端末や設定器から取り込んだセンサ切り替え流量ポイント情報２０ａを記録手段１３が予めメモリ等に登録しておくことができるようになる結果、センサ切り替え流量ポイントをＲＳ２３２Ｃ通信ポート１６を介して電子ガスメータ１０に外部から接続された携帯端末や設定器からソフトウェア的に更新できるようになり、高流量センサ２１の性能が改善されてより低いガス流量域１０Ａまでガス流量の測定が可能となった場合であっても、ファームウェア的な書き換え作業を伴うことを回避できるようになり、センサ切り替え流量ポイントをＲＳ２３２Ｃ通信ポート１６を介して電子ガスメータ１０に外部から接続された携帯端末や設定器からソフトウェア的に任意に更新することができるようになる。これにより、流量センサ選択手段１４が、測定するガス流量と登録されているセンサ切り替え流量ポイント情報２０ａと比較すると機能と、比較結果に基づいたフルイディック発振型の流量センサ２１１Ａまたはフローセンサ２２１Ａのいずれか一方を選択的に活性化する処理を実行し、続いて、ガス使用量算定手段１５が、選択した流量センサ（フルイディック発振型の流量センサ２１１Ａまたはフローセンサ２２１Ａのいずれか一方）を用いてＬＰガスのガス流量を測定する場合に、ガス流量の測定精度の向上を図ることができるようになる。
【００６２】
図４は、図１のテーブル記憶部１３２におけるセンサ切り替え流量ポイント情報２０ａのて記憶状態を説明するためのメモリ構成図である。
【００６３】
図１に示す記録手段１３は、取り込んだセンサ切り替え流量ポイント情報２０ａを予め登録しておく機能を有し、センサ切り替え流量ポイント情報２０ａ（図４に示す６０［ｌ／ｈ］，８０［ｌ／ｈ］，１００［ｌ／ｈ］，１２０［ｌ／ｈ］，…）を登録しておくテーブル記憶部１３２（図４参照）を有している。記録手段１３は、テーブル記憶部１３２のメモリ管理を制御できるコントローラを中心にして構成されている。テーブル記憶部１３２は、テーブル記憶部１３２がアクセス可能なＥＥＰＲＯＭ等のメモリ（図２参照）によって構成されている。
【００６４】
これにより、ガス使用流量予備計測手段１７が、装置の稼働に先立つ一定期間、ガスの使用流量を計測する処理を実行し、これに応じて、ガス使用流量パターン学習手段１８が、計測したガスの使用流量に基づいてガスの使用流量のパターンを学習する処理を実行し、これに応じて、最使用頻度ガス流量域演算手段１９が、学習したガス使用流量パターンに基づいて、最も使用頻度の高いガス流量域１０Ａを求める処理を実行し、これに応じて、センサ切り替え流量ポイント選択手段２０が、記録手段１３の実行により予めテーブル記憶部１３２内のテーブルの中に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域に基づいて、一のセンサ切り替え流量ポイントをテーブル記憶部１３２内のテーブルの中から選択する処理を実行するので、ソフトウェア的に任意に更新可能なテーブル記憶部１３２内のテーブルに登録されている６０［ｌ／ｈ］，８０［ｌ／ｈ］，１００［ｌ／ｈ］，１２０［ｌ／ｈ］，…といったセンサ切り替え流量ポイントの中から、最使用頻度ガス流量域よりも低いガス流量域１０Ａにおける一のセンサ切り替え流量ポイントを選択できるようになる。その結果、ガス使用量算定手段１５が、選択したフルイディック発振型の流量センサ２１１Ａまたはフローセンサ２２１Ａのいずれか一方を用いてＬＰガスのガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習手段１８を中心として実行されるソフトウェア処理によってガス流量の測定精度の向上を図ることができるようになる。
【００６５】
図１に示す流量センサ選択手段１４は、ガス流量信号１１ａと記録手段１３に登録されているセンサ切り替え流量ポイント情報２０ａと比較すると機能と、比較結果に基づいたフルイディック発振型の流量センサ２１１Ａまたはフローセンサ２２１Ａのいずれか一方を選択的に活性化する機能を有し、具体的には、フルイディック発振型の流量センサ２１１Ａ、フローセンサ２２１Ａ、記録手段１３にアクセス可能な前述のマイクロプロセッサーを用いて実現している。
【００６６】
図１に示すガス使用量算定手段１５は、選択したフルイディック発振型の流量センサ２１１Ａまたはフローセンサ２２１Ａのいずれか一方を用いてガス流量信号１１ａを収集してＬＰガスの使用量を積算して図２に示す液晶ディスプレイ（ＬＣＤ）に表示する機能を有し、具体的には、フルイディック発振型の流量センサ２１１Ａ、フローセンサ２２１Ａにアクセス可能な前述のマイクロプロセッサーを用いて実現している。
【００６７】
図１に示すガス使用流量予備計測手段１７は、電子ガスメータ１０の稼働に先立つ一定期間、ガスの使用流量を計測して予備計測流量情報１７ａを生成する機能を有し、具体的には、前述のマイクロプロセッサーを用いて実現している。
【００６８】
図１に示すガス使用流量パターン学習手段１８は、予備計測流量情報１７ａに基づいてガスの使用流量のパターンを学習して学習ガス使用流量パターン情報１８ａを生成する機能を有し、具体的には、前述のマイクロプロセッサーを用いて実現している。
【００６９】
図１に示す最使用頻度ガス流量域演算手段１９は、学習ガス使用流量パターン情報１８ａに基づいて、最も使用頻度の高いガス流量域１０Ａを求めて最使用頻度ガス流量域情報１９ａを生成する機能を有し、具体的には、前述のマイクロプロセッサーを用いて実現している。
【００７０】
図５は、図１ののガスセンサ切り替え方法の実行時のセンサ切り替え流量ポイントの変更動作を説明するための図である。
【００７１】
図１に示すセンサ切り替え流量ポイント選択手段２０は、テーブル記憶部１３２に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域以外のガス流量域１０Ａにおける一のセンサ切り替え流量ポイントを選択してセンサ切り替え流量ポイント選択情報２０ａを生成する機能を有し、具体的には、前述のマイクロプロセッサーを用いて実現している。
【００７２】
またセンサ切り替え流量ポイント選択手段２０は、図５に示すように、テーブル記憶部１３２に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域よりも低いガス流量域１０Ａにおける一のセンサ切り替え流量ポイントを選択している。
【００７３】
具体的には、センサ切り替え流量ポイント選択手段２０は、図５に示すように、テーブル記憶部１３２に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域が１００［ｌ／ｈ］であった場合、求めた最使用頻度ガス流量域（１００［ｌ／ｈ］）よりも低いガス流量域１０Ａにおける一のセンサ切り替え流量ポイントとして８０［ｌ／ｈ］を選択している。
【００７４】
これにより、ガス使用流量予備計測手段１７が、装置の稼働に先立つ一定期間、ガスの使用流量を計測する処理を実行し、これに応じて、ガス使用流量パターン学習手段１８が、計測したガスの使用流量に基づいてガスの使用流量のパターンを学習する処理を実行し、これに応じて、最使用頻度ガス流量域演算手段１９が、学習したガス使用流量パターンに基づいて、最も使用頻度の高いガス流量域１０Ａを求める処理を実行し、これに応じて、センサ切り替え流量ポイント選択手段２０が、記録手段１３の実行により予めテーブル記憶部１３２内のテーブルの中に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域よりも低いガス流量域１０Ａにおける一のセンサ切り替え流量ポイントをテーブル記憶部１３２内のテーブルの中から選択する処理を実行するので、ソフトウェア的に任意に更新可能なテーブル記憶部１３２内のテーブルに登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域よりも低いガス流量域１０Ａにおける一のセンサ切り替え流量ポイントを選択できるようになる。その結果、ガス使用量算定手段１５が、選択したフルイディック発振型の流量センサ２１１Ａまたはフローセンサ２２１Ａのいずれか一方を用いてＬＰガスのガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習手段１８を中心として実行されるソフトウェア処理によって最使用頻度ガス流量域よりも低いガス流量域１０Ａにおける一のセンサ切り替え流量ポイントをテーブル記憶部１３２内のテーブルの中から選択することにより、ガス流量の測定精度の向上を図ることができるようになる。
【００７５】
以上説明したように、電子ガスメータ１０によれば、外部入力手段１２を用いた外部入力処理により、センサ切り替え流量ポイントの情報を電子ガスメータ１０に外部から接続された携帯端末や設定器から取り込むことができるようになり、このようにして電子ガスメータ１０に外部から接続された携帯端末や設定器から取り込んだセンサ切り替え流量ポイント情報２０ａを記録手段１３が予めメモリ等に登録しておくことができるようになる結果、センサ切り替え流量ポイントが電子ガスメータ１０に外部から接続された携帯端末や設定器からソフトウェア的に更新できるようになり、高流量センサ２１の性能が改善されてより低いガス流量域１０Ａまでガス流量の測定が可能となった場合であっても、ファームウェア的な書き換え作業を伴うことを回避できるようになり、センサ切り替え流量ポイントを電子ガスメータ１０に外部から接続された携帯端末や設定器からソフトウェア的に任意に更新することができるようになる。これにより、流量センサ選択手段１４が、測定するガス流量と登録されているセンサ切り替え流量ポイント情報２０ａと比較すると機能と、比較結果に基づいたフルイディック発振型の流量センサ２１１Ａまたはフローセンサ２２１Ａのいずれか一方を選択的に活性化する処理を実行し、続いて、ガス使用量算定手段１５が、選択した流量センサ（フルイディック発振型の流量センサ２１１Ａまたはフローセンサ２２１Ａのいずれか一方）を用いてＬＰガスのガス流量を測定する場合に、ガス流量の測定精度の向上を図ることができるようになる。また、ガス使用流量予備計測手段１７が、装置の稼働に先立つ一定期間、ガスの使用流量を計測する処理を実行し、これに応じて、ガス使用流量パターン学習手段１８が、計測したガスの使用流量に基づいてガスの使用流量のパターンを学習する処理を実行し、これに応じて、最使用頻度ガス流量域演算手段１９が、学習したガス使用流量パターンに基づいて、最も使用頻度の高いガス流量域１０Ａを求める処理を実行し、これに応じて、センサ切り替え流量ポイント選択手段２０が、登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域に基づいて、一のセンサ切り替え流量ポイントを選択する処理を実行するので、テーブル記憶部１３２に登録されている６０［ｌ／ｈ］，８０［ｌ／ｈ］，１００［ｌ／ｈ］，１２０［ｌ／ｈ］，…といったセンサ切り替え流量ポイントの中から、最使用頻度ガス流量域よりも低いガス流量域１０Ａにおける一のセンサ切り替え流量ポイントを選択できるようになる。その結果、ガス使用量算定手段１５が、選択したフルイディック発振型の流量センサ２１１Ａまたはフローセンサ２２１Ａのいずれか一方を用いてＬＰガスのガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習手段１８を中心として実行されるソフトウェア処理によってガス流量の測定精度の向上を図ることができるようになる。
【００７６】
次に、本発明のガスセンサ切り替え方法の一実施形態を説明する。
【００７７】
本ガスセンサ切り替え方法は、測定するガス流量域１０Ａに応じてこれらのフルイディック発振型の流量センサ２１１Ａまたはフローセンサ２２１Ａのいずれか一方に切り替えて検出可能なガス流量域１０ＡにおけるＬＰガスのガス流量を測定し、測定したＬＰガスのガス流量に基づいてＬＰガスの使用量を積算する前述の電子ガスメータ１０に用いられるものであって、センサ切り替え流量ポイント入力工程、センサ切り替え流量ポイント登録工程、流量センサ選択工程、ガス流量測定工程、ガス使用流量予備計測工程、ガス使用流量パターン学習工程、最使用頻度ガス流量域演算工程、センサ切り替え流量ポイント選択工程を中心として構成されている。
【００７８】
センサ切り替え流量ポイント入力工程は、外部入力手段１２が中心となって実行する工程であって、測定に用いるフルイディック発振型の流量センサ２１１Ａまたはフローセンサ２２１Ａのいずれか一方に切り替えるＬＰガスのガス流量にかかるセンサ切り替え流量ポイントの情報を携帯端末や設定器から取り込む工程であり、前述のマイクロプロセッサーが実行可能なプログラムコードで記述されている。
【００７９】
センサ切り替え流量ポイント登録工程は、記録手段１３が中心となって実行する工程であって、取り込んだセンサ切り替え流量ポイント情報２０ａを予め登録しておく工程であり、前述のマイクロプロセッサーが実行可能なプログラムコードで記述されている。
【００８０】
またセンサ切り替え流量ポイント登録工程は、センサ切り替え流量ポイント情報２０ａをテーブルで登録しておく工程を含んでいる。
【００８１】
これにより、ガス使用流量予備計測工程が、装置の稼働に先立つ一定期間、ガスの使用流量を計測する処理を実行し、これに応じて、ガス使用流量パターン学習工程が、計測したガスの使用流量に基づいてガスの使用流量のパターンを学習する処理を実行し、これに応じて、最使用頻度ガス流量域演算工程が、学習したガス使用流量パターンに基づいて、最も使用頻度の高いガス流量域１０Ａを求める処理を実行し、これに応じて、センサ切り替え流量ポイント選択工程が、センサ切り替え流量ポイント登録工程の実行により予めテーブル記憶部１３２の中に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域に基づいて、一のセンサ切り替え流量ポイントをテーブル記憶部１３２の中から選択する処理を実行するので、ソフトウェア的に任意に更新可能なテーブル記憶部１３２に登録されている６０［ｌ／ｈ］，８０［ｌ／ｈ］，１００［ｌ／ｈ］，１２０［ｌ／ｈ］，…といったセンサ切り替え流量ポイントの中から、最使用頻度ガス流量域よりも低いガス流量域１０Ａにおける一のセンサ切り替え流量ポイントを選択できるようになる。その結果、ガス流量測定工程が、選択したフルイディック発振型の流量センサ２１１Ａまたはフローセンサ２２１Ａのいずれか一方を用いてＬＰガスのガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習工程を中心とするソフトウェア処理によってガス流量の測定精度の向上を図ることができるようになる。
【００８２】
流量センサ選択工程は、流量センサ選択手段１４が中心となって実行する工程であって、測定するガス流量と登録されているセンサ切り替え流量ポイント情報２０ａと比較する工程と、比較結果に基づいたフルイディック発振型の流量センサ２１１Ａまたはフローセンサ２２１Ａのいずれか一方を選択的に活性化する工程であり、前述のマイクロプロセッサーが実行可能なプログラムコードで記述されている。
【００８３】
ガス流量測定工程は、ガス使用量算定手段１５が中心となって実行する工程であって、選択した流量センサを用いてＬＰガスのガス流量を測定する工程であり、前述のマイクロプロセッサーが実行可能なプログラムコードで記述されている。
【００８４】
ガス使用流量予備計測工程は、ガス使用流量予備計測手段１７が中心となって実行する工程であって、電子ガスメータ１０の稼働に先立つ一定期間、ガスの使用流量を計測する工程であり、前述のマイクロプロセッサーが実行可能なプログラムコードで記述されている。
【００８５】
ガス使用流量パターン学習工程は、ガス使用流量パターン学習手段１８が中心となって実行する工程であって、計測したガスの使用流量に基づいてガスの使用流量のパターンを学習する工程であり、前述のマイクロプロセッサーが実行可能なプログラムコードで記述されている。
【００８６】
最使用頻度ガス流量域演算工程は、最使用頻度ガス流量域演算手段１９が中心となって実行する工程であって、学習したガス使用流量パターンに基づいて、最も使用頻度の高いガス流量域１０Ａを求める工程であり、前述のマイクロプロセッサーが実行可能なプログラムコードで記述されている。
【００８７】
センサ切り替え流量ポイント選択工程は、テーブル記憶部１３２に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域以外のガス流量域１０Ａにおける一のセンサ切り替え流量ポイントを選択する工程を含んでいる。
【００８８】
具体的には、センサ切り替え流量ポイント選択工程は、テーブル記憶部１３２に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域（例えば、１２０［ｌ／ｈ］）よりも低いガス流量域１０Ａにおける一のセンサ切り替え流量ポイント（８０［ｌ／ｈ］）を選択する工程を含んでいる。
【００８９】
これにより、ガス使用流量予備計測工程が、装置の稼働に先立つ一定期間、ガスの使用流量を計測する処理を実行し、これに応じて、ガス使用流量パターン学習工程が、計測したガスの使用流量に基づいてガスの使用流量のパターンを学習する処理を実行し、これに応じて、最使用頻度ガス流量域演算工程が、学習したガス使用流量パターンに基づいて、最も使用頻度の高いガス流量域１０Ａを求める処理を実行し、これに応じて、センサ切り替え流量ポイント選択工程が、センサ切り替え流量ポイント登録工程の実行により予めテーブル記憶部１３２の中に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域（１２０［ｌ／ｈ］）よりも低いガス流量域１０Ａにおける一のセンサ切り替え流量ポイント（８０［ｌ／ｈ］）をテーブル記憶部１３２の中から選択する処理を実行するので、ソフトウェア的に任意に更新可能なテーブル記憶部１３２に登録されている６０［ｌ／ｈ］，８０［ｌ／ｈ］，１００［ｌ／ｈ］，１２０［ｌ／ｈ］，…といったセンサ切り替え流量ポイントの中から、求めた最使用頻度ガス流量域（１２０［ｌ／ｈ］）よりも低いガス流量域１０Ａにおける一のセンサ切り替え流量ポイント（８０［ｌ／ｈ］）を選択できるようになる。その結果、ガス流量測定工程が、選択したフルイディック発振型の流量センサ２１１Ａまたはフローセンサ２２１Ａのいずれか一方を用いてＬＰガスのガス流量を測定する際に、センサ切り替え流量ポイント付近でガス流量が振動的に変動したような場合であっても、高流量センサ２１と低流量センサ２２とが頻繁に切り替わるような現象の発生を回避してガス流量の測定精度の向上を図ることができるようになる。特に、ディジタル的な流量検出を行う高流量センサ２１においてガス流量の測定精度の向上を図ることができるようになる。具体的には、市場で、センサ切り替え流量ポイント付近のガス流量域１０Ａで使用される燃焼器があった場合であっても、ガス使用流量パターン学習工程を中心とするソフトウェア処理によって最使用頻度ガス流量域よりも低いガス流量域１０Ａにおける一のセンサ切り替え流量ポイント（８０［ｌ／ｈ］）を選択することにより、ガス流量の測定精度の向上を図ることができるようになる。
【００９０】
以上説明したように、ガスセンサ切り替え方法の実施形態によれば、センサ切り替え流量ポイント入力工程を実行することにより、センサ切り替え流量ポイントの情報を電子ガスメータ１０に外部から接続された携帯端末や設定器から取り込むことができるようになり、このようにして電子ガスメータ１０に外部から接続された携帯端末や設定器から取り込んだセンサ切り替え流量ポイント情報２０ａをセンサ切り替え流量ポイント登録工程を実行して予めメモリ等に登録しておくことができるようになる結果、センサ切り替え流量ポイントが電子ガスメータ１０に外部から接続された携帯端末や設定器からソフトウェア的に更新できるようになり、高流量センサ２１の性能が改善されてより低いガス流量域１０Ａまでガス流量の測定が可能となった場合であっても、ファームウェア的な書き換え作業を伴うことを回避できるようになり、センサ切り替え流量ポイントを電子ガスメータ１０に外部から接続された携帯端末や設定器からソフトウェア的に任意に更新することができるようになる。これにより、流量センサ選択工程が、測定するガス流量と登録されているセンサ切り替え流量ポイント情報２０ａと比較すると機能と、比較結果に基づいたフルイディック発振型の流量センサ２１１Ａまたはフローセンサ２２１Ａのいずれか一方を選択的に活性化する処理を実行し、続いて、ガス流量測定工程が、選択した流量センサ（フルイディック発振型の流量センサ２１１Ａまたはフローセンサ２２１Ａのいずれか一方）を用いてＬＰガスのガス流量を測定する場合に、ガス流量の測定精度の向上を図ることができるようになる。
【００９１】
【発明の効果】
請求項１に記載の発明によれば、テーブルに登録されている複数種類のセンサ切り替え流量ポイントの中から、最使用頻度ガス流量域よりも低いガス流量域における一のセンサ切り替え流量ポイントを選択できるようになる。その結果、ガス流量測定工程が、選択した流量センサ（高流量センサまたは低流量センサ）を用いてガス流量を測定する際に、センサ切り替え流量ポイント付近でガス流量が振動的に変動したような場合であっても、高流量センサと低流量センサとが頻繁に切り替わるような現象の発生を回避してガス流量の測定精度の向上を図ることができるようになる。特に、ディジタル的な流量検出を行う高流量センサにおいてガス流量の測定精度の向上を図ることができるようになる。具体的には、市場で、センサ切り替え流量ポイント付近のガス流量域で使用される燃焼器があった場合であっても、ガス使用流量パターン学習工程を中心とするソフトウェア処理によってガス流量の測定精度の向上を図ることができるようになる。
【００９３】
請求項２に記載の発明によれば、請求項１に記載の効果に加えて、ソフトウェア的に任意に更新可能なテーブルに登録されている複数種類のセンサ切り替え流量ポイントの中から、最使用頻度ガス流量域よりも低いガス流量域における一のセンサ切り替え流量ポイントを選択できるようになる。その結果、ガス流量測定工程が、選択した流量センサ（高流量センサまたは低流量センサ）を用いてガス流量を測定する際に、センサ切り替え流量ポイント付近でガス流量が振動的に変動したような場合であっても、高流量センサと低流量センサとが頻繁に切り替わるような現象の発生を回避してガス流量の測定精度の向上を図ることができるようになる。特に、ディジタル的な流量検出を行う高流量センサにおいてガス流量の測定精度の向上を図ることができるようになる。具体的には、市場で、センサ切り替え流量ポイント付近のガス流量域で使用される燃焼器があった場合であっても、ガス使用流量パターン学習工程を中心とするソフトウェア処理によってガス流量の測定精度の向上を図ることができるようになる。
【００９４】
請求項３に記載の発明によれば、請求項２に記載の効果に加えて、ソフトウェア的に任意に更新可能なテーブルに登録されている複数種類のセンサ切り替え流量ポイントの中から、求めた最使用頻度ガス流量域以外のガス流量域における一のセンサ切り替え流量ポイントを選択できるようになる。その結果、ガス流量測定工程が、選択した流量センサ（高流量センサまたは低流量センサ）を用いてガス流量を測定する際に、センサ切り替え流量ポイント付近でガス流量が振動的に変動したような場合であっても、高流量センサと低流量センサとが頻繁に切り替わるような現象の発生を回避してガス流量の測定精度の向上を図ることができるようになる。特に、ディジタル的な流量検出を行う高流量センサにおいてガス流量の測定精度の向上を図ることができるようになる。具体的には、市場で、センサ切り替え流量ポイント付近のガス流量域で使用される燃焼器があった場合であっても、ガス使用流量パターン学習工程を中心とするソフトウェア処理によって最使用頻度ガス流量域以外のガス流量域における一のセンサ切り替え流量ポイントをテーブルの中から選択することにより、ガス流量の測定精度の向上を図ることができるようになる。
【００９５】
請求項４に記載の発明によれば、請求項２に記載の効果に加えて、求めた最使用頻度ガス流量域よりも低いガス流量域における一のセンサ切り替え流量ポイントをテーブルの中から選択する処理を実行するので、ソフトウェア的に任意に更新可能なテーブルに登録されている複数種類のセンサ切り替え流量ポイントの中から、求めた最使用頻度ガス流量域よりも低いガス流量域における一のセンサ切り替え流量ポイントを選択できるようになる。その結果、ガス流量測定工程が、選択した流量センサ（高流量センサまたは低流量センサ）を用いてガス流量を測定する際に、センサ切り替え流量ポイント付近でガス流量が振動的に変動したような場合であっても、高流量センサと低流量センサとが頻繁に切り替わるような現象の発生を回避してガス流量の測定精度の向上を図ることができるようになる。特に、ディジタル的な流量検出を行う高流量センサにおいてガス流量の測定精度の向上を図ることができるようになる。具体的には、市場で、センサ切り替え流量ポイント付近のガス流量域で使用される燃焼器があった場合であっても、ガス使用流量パターン学習工程を中心とするソフトウェア処理によって最使用頻度ガス流量域よりも低いガス流量域における一のセンサ切り替え流量ポイントを選択することにより、ガス流量の測定精度の向上を図ることができるようになる。
【００９８】
請求項５に記載の発明によれば、ガス使用量算定手段が、選択した流量センサ（高流量センサまたは低流量センサ）を用いてガス流量を測定する際に、センサ切り替え流量ポイント付近でガス流量が振動的に変動したような場合であっても、高流量センサと低流量センサとが頻繁に切り替わるような現象の発生を回避してガス流量の測定精度の向上を図ることができるようになる。特に、ディジタル的な流量検出を行う高流量センサにおいてガス流量の測定精度の向上を図ることができるようになる。具体的には、市場で、センサ切り替え流量ポイント付近のガス流量域で使用される燃焼器があった場合であっても、ガス使用流量パターン学習手段を中心として実行されるソフトウェア処理によってガス流量の測定精度の向上を図ることができるようになる。
【００９９】
請求項６に記載の発明に撚れば、請求項５に記載の効果に加えて、ソフトウェア的に任意に更新可能なテーブル記憶部内のテーブルに登録されている複数種類のセンサ切り替え流量ポイントの中から、最使用頻度ガス流量域よりも低いガス流量域における一のセンサ切り替え流量ポイントを選択できるようになる。その結果、ガス使用量算定手段が、選択した流量センサ（高流量センサまたは低流量センサ）を用いてガス流量を測定する際に、センサ切り替え流量ポイント付近でガス流量が振動的に変動したような場合であっても、高流量センサと低流量センサとが頻繁に切り替わるような現象の発生を回避してガス流量の測定精度の向上を図ることができるようになる。特に、ディジタル的な流量検出を行う高流量センサにおいてガス流量の測定精度の向上を図ることができるようになる。具体的には、市場で、センサ切り替え流量ポイント付近のガス流量域で使用される燃焼器があった場合であっても、ガス使用流量パターン学習手段を中心として実行されるソフトウェア処理によってガス流量の測定精度の向上を図ることができるようになる。
【０１００】
請求項７に記載の発明によれば、請求項６に記載の効果に加えて、ソフトウェア的に任意に更新可能なテーブル記憶部内のテーブルの中に登録されている複数種類のセンサ切り替え流量ポイントの中から、求めた最使用頻度ガス流量域以外のガス流量域における一のセンサ切り替え流量ポイントを選択できるようになる。その結果、ガス使用量算定手段が、選択した流量センサ（高流量センサまたは低流量センサ）を用いてガス流量を測定する際に、センサ切り替え流量ポイント付近でガス流量が振動的に変動したような場合であっても、高流量センサと低流量センサとが頻繁に切り替わるような現象の発生を回避してガス流量の測定精度の向上を図ることができるようになる。特に、ディジタル的な流量検出を行う高流量センサにおいてガス流量の測定精度の向上を図ることができるようになる。具体的には、市場で、センサ切り替え流量ポイント付近のガス流量域で使用される燃焼器があった場合であっても、ガス使用流量パターン学習手段を中心として実行されるソフトウェア処理によって最使用頻度ガス流量域以外のガス流量域における一のセンサ切り替え流量ポイントをテーブル記憶部内のテーブルの中から選択することにより、ガス流量の測定精度の向上を図ることができるようになる。
【０１０１】
請求項８または９に記載の発明によれば、請求項６に記載の効果に加えて、ソフトウェア的に任意に更新可能なテーブル記憶部内のテーブルに登録されている複数種類のセンサ切り替え流量ポイントの中から、求めた最使用頻度ガス流量域よりも低いガス流量域における一のセンサ切り替え流量ポイントを選択できるようになる。その結果、ガス使用量算定手段が、選択した流量センサ（高流量センサまたは低流量センサ）を用いてガス流量を測定する際に、センサ切り替え流量ポイント付近でガス流量が振動的に変動したような場合であっても、高流量センサと低流量センサとが頻繁に切り替わるような現象の発生を回避してガス流量の測定精度の向上を図ることができるようになる。特に、ディジタル的な流量検出を行う高流量センサにおいてガス流量の測定精度の向上を図ることができるようになる。具体的には、市場で、センサ切り替え流量ポイント付近のガス流量域で使用される燃焼器があった場合であっても、ガス使用流量パターン学習手段を中心として実行されるソフトウェア処理によって最使用頻度ガス流量域よりも低いガス流量域における一のセンサ切り替え流量ポイントをテーブル記憶部内のテーブルの中から選択することにより、ガス流量の測定精度の向上を図ることができるようになる。
【図面の簡単な説明】
【図１】本発明のガスセンサ切り替え方法を実行する電子ガスメータを説明するための機能ブロック図である。
【図２】図１の電子ガスメータの具体的な構成図である。
【図３】低流量センサの流量特性を説明するためのグラフである。
【図４】図１のテーブル記憶部におけるセンサ切り替え流量ポイント情報のて記憶状態を説明するためのメモリ構成図である。
【図５】図１ののガスセンサ切り替え方法の実行時のセンサ切り替え流量ポイントの変更動作を説明するための図である。
【図６】従来のガスセンサ切り替え方法の実行時のセンサ切り替え流量ポイントの変更動作を説明するための図である。
【符号の説明】
１０…電子ガスメータ
１０Ａ…ガス流量域
１１…流量センサ
１１ａ…ガス流量信号
１２…外部入力手段
１３…記録手段
１３２…テーブル記憶部
１４…流量センサ選択手段
１４ａ…流量センサ選択情報
１５…ガス使用量算定手段
１６…通信ポート
１７…ガス使用流量予備計測手段
１７ａ…予備計測流量情報
１８…ガス使用流量パターン学習手段
１８ａ…学習ガス使用流量パターン情報
１９…最使用頻度ガス流量域演算手段
１９ａ…最使用頻度ガス流量域情報
２０…センサ切り替え流量ポイント選択手段
２０ａ…センサ切り替え流量ポイント情報
２１…高流量センサ
２１１…振動検出型の流量センサ
２１１Ａ…フルイディック発振型の流量センサ
２２…低流量センサ
２２１…熱伝導型の流量センサ
２２１Ａ…フローセンサ
【図１】
0003872570.tif 000002
【図２】
0003872570.tif 000003
【図３】
0003872570.tif 000004
【図４】
0003872570.tif 000005
【図５】
0003872570.tif 000006
【図６】
0003872570.tif 000007